(57)【要約】【課題】  使用頻度の高い定規にコンパス機能を追加させることで、別途コンパスを携帯する必要なく、簡易且つ正確に円や円弧を描くことができるようにする。【解決手段】  長尺を成す定規状の本体部１に、筆記具の芯先を挿通させる為の貫通孔５と、回転支点部４とを具備するコンパス兼用定規とする。本体部１を定規として使用可能であることは勿論、貫通孔５に筆記具の芯先を挿通させて回転支点部４を中心に本体部１を回動させることで、コンパスとしても使用可能である。【選択図】        図１
2006264157.tif 000002
【特許請求の範囲】
【請求項１】
長尺を成す定規状の本体部に、筆記具の芯先を挿通させる為の複数の貫通孔と、回転支点部とを備え、各貫通孔と回転支点部との距離を相違させて成ることを特徴とするコンパス兼用定規。
【請求項２】
回転支点部と貫通孔との距離を曲率半径とする円弧を、該貫通孔と対応させて本体部に表示させることを特徴とする請求項１に記載のコンパス兼用定規。
【請求項３】
回転支点部として、本体部に取付孔を穿設するとともに、該取付孔に支持部材を回動自在に備えることを特徴とする請求項１又は２に記載のコンパス兼用定規。
【請求項４】
支持部材が、中央孔を有することを特徴とする請求項３に記載のコンパス兼用定規。
【発明の詳細な説明】
【技術分野】
【０００１】
本発明は、コンパス及び定規として利用可能なコンパス兼用定規に関するものである。
【背景技術】
【０００２】
文房具として、直線を描く為には定規が用いられ、円又は円弧を描く為にはコンパスが用いられる。通常、何らかの筆記作業を行う場合に直線を描く機会は多く、このことからシャープペンシルやボールペン等の筆記具と共に定規をペンケース内に常備することが一般的である。これに対して円や円弧を描く機会は比較的少なく、その割にコンパスは場所を占めることから、筆記具や定規と共にコンパスまではペンケース内に常備しない場合が多い。したがって、円や円弧を描く機会が生じれば手書きで対応することとなるが、道具を用いずに円や円弧を正確に描くことは決して容易ではない。
【０００３】
これに対して、非使用時にはコンパクト化することが可能なコンパスも提案されているが（特許文献１参照）、やはり別途コンパスを常備すること自体が面倒であり、上記の問題を解消するものではない。
【特許文献１】特開平１１−２４０２９３号公報
【発明の開示】
【発明が解決しようとする課題】
【０００４】
本発明は上記問題点に鑑みて発明したものであって、使用頻度の高い定規にコンパス機能を追加させることで、別途コンパスを携帯する必要なく、簡易且つ正確に円や円弧を描くことができるようにすることを課題とするものである。
【課題を解決するための手段】
【０００５】
上記課題を解決するために本発明に係るコンパス兼用定規を、長尺を成す定規状の本体部１に、筆記具の先端を挿通させる為の複数の貫通孔５と、回転支点部４とを備え、各貫通孔５と回転支点部４との距離を相違させて成ることを特徴としたものとする。上記構成のコンパス兼用定規を用いることで、本体部１を定規として使用可能であることは勿論、複数設けてある貫通孔５の一つに筆記具の芯先を挿通させて回転支点部４を中心に本体部１を回動させることで、コンパスとしても使用可能である。つまり、上記コンパス兼用定規を一つ用意しておけば、別途コンパスを携帯する必要なく簡易且つ正確に円や円弧を描くことができる。しかも構造がコンパクトであるから持ち運びが容易であるとともに安価で製造可能である。
【０００６】
また、上記構成のコンパス兼用定規にあっては、回転支点部４と貫通孔５との距離を曲率半径とする円弧８を、該貫通孔５と対応させて本体部１に表示させることが好ましい。上記円弧８を本体部１に表示させておくことで、対応する貫通孔５に筆記具の芯先を挿通させて円又は円弧を描いた場合の曲率半径を予め視認することができる。
【０００７】
また、上記構成のコンパス兼用定規にあっては、回転支点部４として、本体部１に取付孔６を穿設するとともに、該取付孔６に支持部材７を回動自在に備えることが好ましい。このようにすることで、コンパスとして使用する際には支持部材７を上方から押え付けながら貫通孔５に挿通させた筆記具を動かすことで、本体部１を円滑に回動させることが可能となる。
【０００８】
なお、上記の支持部材７は中央孔７ｄを有することが好ましい。このようにすることで、コンパスとして使用する際に、支持部材７に設けてある中央孔７ｄを通じて回転中心となる個所を視認しながら、本体部１の位置合わせを行うことができる。
【発明の効果】
【０００９】
本発明は、使用頻度の高い定規にコンパス機能を追加させることで、別途コンパスを携帯する必要なく、簡易且つ正確に円や円弧を描くことができるものである。
【発明を実施するための最良の形態】
【００１０】
以下、本発明を添付図面に示す実施形態に基いて説明する。図１には、本発明の実施形態における一例のコンパス兼用定規を示している。図中の符合１は、長尺を成す定規状の本体部であり、長尺方向に伸びる両側部に直線縁２を形成している。本体部１の長手方向における一端部と中央部には、本例の回転支点部４である突起３を設けている。
【００１１】
更に、本体部１には直線縁２に沿って複数個の貫通孔５を列設している。この貫通孔５は、鉛筆、シャープペンシル、ボールペン、マジックペン等の筆記具の芯先を挿通させる為の小径の丸孔であり、端部の突起３と中央部の突起３との間に所定間隔を隔てて複数個が連続して穿設されるとともに、中央部の突起３から端部の突起３と離れる方向（図中右方向）に向けても、所定間隔を隔てて複数個が連続して穿設されている。図中の符号９は、本体部１の突起３を設けてある側とは逆側の端部に穿設される円孔であり、貫通孔５よりも大径に形成したものである。
【００１２】
上記構成のコンパス兼用定規を一つ用意しておくことで、通常は定規としての使用が可能であるとともに、必要な時にはコンパスとしての使用も可能となる。即ち、直線を描く場合には、両突起３を上方に向けた図示の状態で、一般的な定規と同様に本体部１を手で押えながら直線縁２に筆記具の芯先を当て、直線縁２に滑らしながら筆記具の芯先を直線状に移動させればよい。そして、円又は円弧を描く必要があれば、本体部１の両突起３を下方に向けるように裏返すとともに両突起３の一方を描きたい円又は円弧の中心に設定し、本体部１に複数形成してある貫通孔５のうち適当な箇所の貫通孔５に筆記具の芯先を挿通させ、該芯先が貫通孔５から下方に突出する状態に設ける。この状態で、中心に設定した突起３を本体部１の上面側から押えながら筆記具を動かすと、該突起３つまりこの回転支点部４を中心として筆記具の芯先が円又は円弧を描くこととなる。
【００１３】
ここで描かれる円又は円弧の曲率半径は、中心に設定した突起３と、筆記具の芯先を挿通させた貫通孔５との間の距離になるので、該突起３に対して芯先を挿通させる貫通孔５を適宜選択することで、曲率半径を自在に設定することが可能である。また、端部の突起３と中央部の突起３のいずれを中心に設定するかで、コンパスとして使用する際の本体部１全体の動作範囲を下記のように選択可能である。
【００１４】
端部の突起３を中心に設定した場合には、コンパスとして使用する際に、該突起３を中心に本体部１全体が大きな動作範囲で回動する。これに対して中央部の突起３を中心に設定した場合には、該突起３を中心に本体部１全体が比較的小さな動作範囲で回動する。そこで、比較的大きな曲率半径の円又は円弧を描く場合には、端部の突起３を中心に設定して、この大きな曲率半径に相当する貫通孔５（つまり、中央部の突起３から図中右方向に向けて列設してある貫通孔５のうち一つ）を選択すればよく、比較的小さな曲率半径の円又は円弧を描く場合には、中央部の突起３を中心に設定して該曲率半径に相当する貫通孔５（つまり、端部の突起３と中央部の突起３との間に列設される貫通孔５のうちの一つか、或いは中央部の突起３から図中右方向に向けて列設してある貫通孔５のうちの一つ）を選択すればよい。
【００１５】
更に小径の円又は円弧を描きたい場合には、本体部１の端部に穿設してある円孔９を用い、この円孔９の内周縁に芯先を沿わせながら筆記具を動かせばよい。円孔９は径を違えて複数設けているので、複数種の円又は円弧を描くことが可能である。
【００１６】
なお、本例においては突起３を本体部１と一体に形成しているが、突起３が本体部１と着脱自在であっても構わない。このようにするには、例えば本体部１にピン孔を穿設しておいて、該ピン孔に、先端に突起３を有するピン部材を着脱自在に取付ければよい。ピン孔を本体部１の端部と中央部に穿設しておいた場合には、中央に設定しようとする側のピン孔にのみ、必要に応じて上記ピン部材を取付ければよい。
【００１７】
次に、本発明の実施形態における他例のコンパス兼用定規について、図２に基づいて説明するが、一例と同様の構成については同一符号を付して詳しい説明を省略する。本例のコンパス兼用定規は、本体部１の一方の直線縁２に設けてある目盛りのゼロ部分に近接して回転支点部４を形成するとともに、この回転支点部４から直線縁２に沿って１ｃｍずつの等間隔を隔てながら貫通孔５（以下、これに５ａを付す）を列設している。各貫通孔５ａは、直線縁２の目盛り上の数字のうち該貫通孔５ａと近接する数字と同一の曲率半径で、回転支点部４を中心に円又は円弧を描くことが可能なものである。
【００１８】
本例の回転支点部４は、貫通孔５ａよりも大径に形成した取付孔６と、この取付孔６に取付けたリング状の支持部材７とで形成している。支持部材７は、取付孔６に回動自在に嵌合する円筒部７ａと、筒体部７ａの一端側（図中上側）の周縁から外側方に延設されるリング状の指当て部７ｂと、筒体部７ａの他端側（図中下側）の周縁から外側方に延設される支持脚部７ｃとで形成され、指当て部７ｂと支持脚部７ｃとで本体部１を挟持した状態で、筒体部７ａ即ち支持部材７全体が取付孔６に回動自在に装着される構造である。なお、指当て部７ｂの外表面は凸曲面に形成され、支持脚部７ｃの外表面は平坦面に形成されている。
【００１９】
本体部１には、直線縁２に沿って一直線状に列設される各貫通孔５ａに対応して、この貫通孔５ａの中心と回転支点部４の中心との距離を曲率半径とする円弧８を、それぞれ表示させている。この円弧８は、上記各貫通孔５ａを通って回転支点部４を中心に描かれる円弧線である。隣接する円弧８間には、更に別の貫通孔５（以下、これに５ｂを付す）を、直線縁２に対して所定角度だけ傾斜した一直線状に列設させている。この貫通孔５ｂは、直線縁２に沿って列設される各貫通孔５ａと、該貫通孔５ａに隣接する貫通孔５ａ上を通過する円弧８との間を複数分割するように配してある。本例にあっては１ｃｍ刻みの曲率半径で表示される円弧８間を５分割する箇所に貫通孔５ｂを配してあり、各貫通孔５ｂは回転支点部４との間の距離即ち曲率半径が０．２ｃｍ刻みで相違する構造になっている。
【００２０】
本例のコンパス兼用定規を用いて円又は円弧を描く必要があれば、本体部１の回転支点部４を成すリング状の支持部材７の支持脚部７ｃ側を下方に向けた図示の状態で、支持部材７の中央孔７ｄを通じて紙面上に描きたい円又は円弧の中心部分を視認するとともに、この紙面上の中心部分が支持部材７の中央孔７ｄの中心に位置するように本体部１を設置する。この状態で支持部材７の指当て部７ｂの凸曲面部分に上方から指を押し当てることで支持脚部７ｃの平坦面部分を紙面上に押圧させ、支持部材７を紙面上に固定したうえで、多数形成してある貫通孔５ａ，５ｂのうちの適当な箇所に筆記具の芯先を挿通させて動かすと、支持部材７つまりこの回転支点部４を中心として本体部１が回動して筆記具の芯先が円又は円弧を描くこととなる。
【００２１】
描くことの可能な円又は円弧は、１ｃｍ刻みの曲率半径で配される貫通孔５ａと、隣接する貫通孔５ａ間にて曲率半径が０．２ｃｍ刻みで配される貫通孔５ｂのいずれに芯先を挿通するかで適宜選択可能であり、０．２ｃｍ刻みの詳細な曲率半径が選択可能となっている。しかも、直線縁２に沿う貫通孔５ａ同士の距離は充分に確保されるとともに、貫通孔５ｂの配列を上記の通り直線縁２と傾斜させていることで貫通孔５ｂ同士の距離も確保されており、したがって多数の貫通孔５ａ，５ｂを配するにも関わらず本体部１の強度の低下は防止された構造になっている。
【００２２】
描く円又は円弧の曲率半径、つまり挿通すべき貫通孔５ａ，５ｂの選択は、各貫通孔５ａに対応して表示してある円弧８を参考に行えばよく、本体部１が透明又は半透明であれば円弧８を実際の紙面上の図線と対比させ易くなるので更に好適である。
【００２３】
貫通孔５ａ，５ｂの径は、挿通させたい筆記具の芯先の径に応じて決定すればよく、例えばマジックペンを挿通させたいのであればシャープペンシルを挿通させる場合に比して大径に形成する。全ての貫通孔５ａ，５ｂは同一径でなくてもよく、複数種の径を備えることで、多様な筆記具を用いて作業することも可能となる。
【００２４】
上記した一例や他例のコンパス兼用定規によれば、定規とコンパスとが一体であることから持ち運びに便利であり、且つ低コストで生産可能なものとなる。しかも、通常のコンパスのように紙に穴をあけることなく様々な径の円を容易に描くことができるとともに、貫通孔５として多様な径のものを備えておくことでマジックペン等の多様な筆記具を使用可能となるものである。
【図面の簡単な説明】
【００２５】
【図１】本発明の実施形態における一例のコンパス兼用定規を示す斜視図である。
【図２】本発明の実施形態における他例のコンパス兼用定規を示しており、（ａ）は斜視図、（ｂ）は（ａ）のＡ−Ａ線断面図である。
【符号の説明】
【００２６】
１  本体部
４  回転支点部
５  貫通孔
６  取付孔
７  支持部材
８  円弧
【図１】
2006264157.tif 000003
【図２】
2006264157.tif 000004